(57)【要約】【課題】  従来のブラウザではウェブページをスライドショー的に表示できる機能はない。またタブブラウザでもタブ群を参照してウェブページを一連の画面としてスライドショー的に表示できる機能はない。またタブブラウザでは非表示にしたタブのウェブページの処理は続行する構造になっている。またウェブブラウザにサーバー側から複数のＵＲＬリストとソフトをアプレットとしてダウンロードして、スライドショー的に表示できる機能を実現したものもあるが、その実現にはダウンロードを要することから処理量が無駄である。【課題を解決するための手段】  本発明はＵＲＬを記憶する複数のタブと、タブ群の表示切替え順序を記憶するタブ切替え順序記憶部と、表示切替え時間を記憶するタブ切替え時間記憶部を設け、ウェブページをスライドショー的に表示できるタブブラウザを実現したものである。【選択図】図１
2011165156.tif 000002
【特許請求の範囲】
【請求項１】
ウェブページをタブで管理し、該タブを切り替えることによって単一のウィンドウで複数のウェブページを閲覧できるタブブラウザにおいて、各タブのホームページとするＵＲＬを予め記憶した複数のタブと、複数のタブの表示切替え順序を予め記憶したタブ切替え順序記憶部と、複数のタブの表示切替え時間を予め記憶したタブ切替え時間記憶部を設け、前記タブ切替え順序記憶部の内容で指示された順にしたがって各タブのＵＲＬで指定されたインターネット上のウェブページにアクセスし、該ウェブページを前記タブ切替え時間記憶部の内容で指示された所定の時間表示することを複数タブ分繰り返すことによってウェブページをスライドショー的に閲覧できることを特徴とするタブブラウザ。
【請求項２】
請求項１記載のタブブラウザにスライドショー的表示を一次停止するための停止アイコンと再開するための再開アイコンを設け、利用者が操作したいウェブページが表示した時点で前記停止アイコンをクリックすることによってスライドショー的表示を停止して該ウェブページへの操作の開始を可能とし、終了時には再開アイコンをクリックすることによってスライドショー的表示の再開を可能としたことを特徴とする請求項１記載のタブブラウザ。
【請求項３】
タブブラウザに連携するサーバーと、該サーバーにスライドショー的表示を行うための複数のウェブページにジャンプさせるためのジャンプ先のＵＲＬを記憶するジャンプ先情報群を設け、前記複数のタブには前記サーバーのウェブページのＵＲＬを記憶させ、タブブラウザで該ＵＲＬの前記サーバーにアクセスして、前記ジャンプ先情報に記憶されたＵＲＬにジャンプすることによって所望のウェブページをスライドショー的に閲覧できるようにしたことを特徴とする請求項１記載のタブブラウザ。
【請求項４】
請求項１記載のＵＲＬを記憶する複数のタブと、複数のタブの表示切替え順序を記憶するタブ切替え順序記憶部と、タブの表示切替え時間を記憶するタブ切替え時間記憶部などの記憶内容を入力装置から変更できるようにしたことを特徴とする請求項１記載のタブブラウザ。
【発明の詳細な説明】
【技術分野】
【０００１】  本発明は、複数のタブで記憶されたＵＲＬのウェブページに順次アクセスし、該ウェブページを一定時間順次表示することによって、複数のウェブページをスライドショー的に順次・表示・閲覧できるようにしたタブブラウザに関するものである。
【背景技術】
【０００２】  従来のブラウザではブラウザを立ち上げた時にホームページにするためのＵＲＬを、利用者が入力して記憶させることができ、立ち上げ時に該ＵＲＬのウェブページをホームページとして表示する機能を有しているが、複数のウェブページをスライドショー的に順次表示する機能は備えてない。【０００３】  また、タブブラウザでは、利用者の操作によってウェブページを表示するタブを複数作成でき、ウェブページをタブとして記憶できる。タブが作成された場合には、例えばウェブページ表示画面の上にタブアイコンとして表示される。このように利用者の操作によってタブを複数記憶することができ、タブアイコンを操作することによって該タブに記憶されたウェブページを再表示することができる。しかし複数のタブで記憶された複数ウェブページを利用者の操作によってスライドショー的に順次表示する機能は設けられておらず、さらにタブとして記憶されたウェブページ内に動画などの動的コンテンツが含まれている場合、パソコン画面に表示されていなくなっても動的コンテンツの処理は中断されることなく動作され続けられる。【０００４】  また従来のブラウザのインタフェースに、複数のＵＲＬのＨＴＭＬで記述された表示内容を画像化して、スライドショウー的に表示するソフトを追加するものがある（特許公開２００１−１９５３３８）が、これではＨＴＭＬの表示内容を画像化するためＨＴＭＬが本来備えている機能（リンク機能、動的コンテンツの表示機能など）が失われるということがあった。【０００５】  またサーバー側から複数のＵＲＬリストと該ＵＲＬリストに基づいてブラウザにウェブページにアクセスさせ該ウェブページを順次表示させるプログラムを、いずれの従来のブラウザでも実行できるアプレットとしてダウンロードして、複数のウェブページをスライドショー的に表示するものがある（特許公開２００２−２４２８８）が、これは単一のウェブページを表示する従来のブラウザを前提にしているため、順次表示させるためのＵＲＬリストをサーバー側で作成すること、該ＵＲＬリストと前記アプレットをダウンロードしなければならにこと、さらにアプレットを実行させることが必要であった。【０００６】  また、インターネット上で利用される技術の標準化を進めている団体であるＷ３Ｃ（Ｗｏｒｌｄ  Ｗｉｄｅ  Ｗｅｂ  Ｃｏｎｓｏｒｔｉｕｍ）では、ＨＴＭＬで記述されるウェブページの情報にスライドショー的に表示できるようにするためのスクリプトの例を公開している。しかし、この方法でウェブページをスライドショー的に表示するようにするためには予め該ウェブページに前記スクリプトを埋め込むことが必要であり、さらにスライドショー的に表示できるウェブページは同一ドメインに限られ、任意のドメインのウェブページのスライドショー的表示は不可能である。
【発明の開示】
【発明が解決しようとする課題】
【０００７】  従来のブラウザでは前述（〔０００２〕）のように一連の複数のＵＲＬにアクセスして該ウェブページをスライドショー的に連続して表示できる機能は備えていない。またタブブラウザの場合にも、前述（〔０００３〕）のようにタブ群をもとに複数のＵＲＬにアクセスしてウェブページを一連の画面としてスライドショー的に表示する機能は備えていない。また従来のタブブラウザではタブのウェブページを非表示にした場合、処理は中断されることなく継続される。【０００８】  また従来のブラウザやタブブラウザで複数のウェブページをスライドショー的に表示させるためにはブラウザ側ではなく、ウェブページが置かれているサーバーで、複数のＨＴＭＬを連続表示させるプログラムを用意・実行させることが必要であり、スライドショー的表示を行う度に処理時間を要す欠点があり、またスライドショー的に表示させるウェブページが該サーバーの管理外のドメインのウェブページの場合は、他者のサーバーで上記プログラムを実行させる必要があり事実上不可能である。さらに、スライドショー的表示の一時停止や再開および表示切替え順序、切替え時間の変更には、上記プログラムの変更が必須であり、前記サーバー設置者にサーバーアクセス権を与えなければならず、セキュリティ上不可能である。また上記プログラムが変更できたとしても、表示切替え順序、切替え時間の変更内容は全てのブラウザ利用者に波及してしまい個別利用者ごとの変更はできないという欠点があった。【０００９】  また、〔０００５〕で述べたように特許公開２００２−２４２８８では従来のブラウザにサーバー側から複数のＵＲＬリストと該ＵＲＬリストに基づいてブラウザでウェブページにアクセスさせ該ウェブページを順次表示させるプログラムをダウンロードして、ＵＲＬリストで指定された複数のウェブページをスライドショー的に表示する機能を実現しているが、ＵＲＬリストのサーバー側での作成、該ＵＲＬリストと前記アプレットのダウンロード、アプレットの実行が、利用者がスライドショーで閲覧を希望する毎に常に必要であり、この処理時間の解決が必要である。【００１０】  本発明は、タブブラウザと連携したサーバーを設けることなく、複数のウェブページをスライドショー的に表示でき、非表示にしたウェブページの処理を中断するタブブラウザを実現することを目的とする。
【課題を解決するための手段】
【００１１】  本発明は上記目的を達成するために、タブブラウザのタブのホームページとするＵＲＬを予め記憶した複数のタブ（タブ群）と、該タブ群の表示切替え順序を予め記憶したタブ切替え順序記憶部と、各タブの表示切替え時間を予め記憶したタブ切替え時間記憶部を設け、ブラウザ単独で該タブ切替え順序記憶部の内容で指定された順にしたがってタブのＵＲＬで指定されたインターネット上のウェブサイトのウェブページにアクセスし、前記タブ切替え時間記憶部の内容にしたがって該ウェブページを所定の時間表示することをタブ群分繰り返えしてウェブページをスライドショー的に順次表示できるようにすると共に、非表示にしたウェブページの処理を中止して処理負荷の減少を図る。
【発明の効果】
【００１２】  上述のように本発明のタブブラウザは、タブブラウザ単独で複数のウェブページをスライドショー的に表示でき、タブ切替え時に非表示にしたウェブページの処理を中止し、再度表示する際には初期状態から表示させることから処理負荷を少なくすることができる。
【発明を実施するための最良の形態】
【００１３】  以下、本発明の実施例を図１〜図３に基づいて説明する。【００１４】  図１の１はパソコン、１０はパソコン１の入力部、１１はパソコン１内のタブブラウザ、１２はタブブラウザ１１に設けた予めホームページとしてＵＲＬを記憶した複数のタブから構成されるタブ群、１２１、１２２、１２３は個々のタブａ、ｂ、ｃ、１３はタブ群の表示切替え順序を予め記憶したタブ切替え順序記憶部、１４は表示切替え時間を予め記憶したタブ切替え時間記憶部、１５はパソコン１の表示部、１５１はスライドショー的表示を一時停止するための一時停止アイコン、１５２は一時停止したスライドショー的表示を再開するための再開アイコン、１５３はウェブページ表示部、２はインターネット、３はインターネット上のウェブサイト群、３１、３２、３３は個々のウェブサイトａ、ｂ、ｃである。また図２の４はタブ群のホームページであるウェブページ群、４１、４２、４３は個々のウェブページａ、ｂ、ｃである。【００１５】  本発明の動作を次に説明する。まず利用者がパソコン１のタブブラウザ１１を立ち上げた時点で、スライドショー的に表示したいウェブページの各ＵＲＬ（ここではウェブサイトａ３１のＵＲＬのｗｗｗ．ａａａ．ｃｏｍ、ウェブサイトｂ３２のＵＲＬのｗｗｗ．ｂｂｂ．ｃｏｍ、ウェブサイトｃ３３のＵＲＬのｗｗｗ．ｃｃｃ．ｃｏｍとする）がタブａ１２１〜タブｃ１２３に、タブ群の表示切替え順序（タブａ、タブｂ、タブｃの順）がタブ切替え順序記憶部１３に、タブの表示切替え時間ｔ（秒）がタブ切替え時間記憶部１４に予め記憶されているとする。【００１６】  以上の条件でタブブラウザ１１はタブ切替え順序記憶部１３の内容（タブａ、タブｂ、タブｃ）にしたがって最初のタブａ１２１のＵＲＬ（ｗｗｗ．ａａａ．ｃｏｍ）を読み出してインターネット２を介して該当するウェブサイトａ３１にアクセスしてウェブページａ４１（図２）をパソコン１の表示部１５３に表示する。この時点でウェブブラウザ１１のタブ切替え時間記憶部１４の内容である表示時間ｔ秒からパソコン１内の時計を参照して１秒減算する処理を開始する。【００１７】  この切替え時間記憶部１４の内容が０になるまでにタブブラウザ１１はタブ切替え順序記憶部１３の内容（タブａ、タブｂ、タブｃ）を参照して次のタブｂ１２２のＵＲＬ（ｗｗｗ．ｂｂｂ．ｃｏｍ）を読み出してインターネット２を介して該当するウェブサイトｂ３２にアクセスする。この間にタブ切替え時間記憶部１４の内容のｔ秒から１秒毎に減算して０秒なった時点で、該ウェブページｂ４２（図２）を表示部１５３に表示する。同時にタブ切替え時間記憶部１４の記憶内容をｔ秒に復旧する。【００１８】  この処理をタブｃ１２３に記憶されたＵＲＬ（ｗｗｗ．ｃｃｃ．ｃｏｍ）を順次読み出して該当するサーバーｃ３３にアクセスしてウェブページｃ４３を、タブ切替え時間記憶部１４の内容が０秒なった時点で表示部１４に表示することを繰り返すことによってウェブページをスライドショー的に表示する。【００１９】  タブａ１２１のウェブページａ４１（ｗｗｗ．ａａａ．ｃｏｍのウェブページ）がウェページ表示部１５３に表示されている最中に利用者によってパソコン１の入力部１０を操作して���示部１５の一時停止アイコン１５１をクリックされると、タブブラウザ１１はそれを感知してｗｗｗ．ａａａ．ｃｏｍのウェブページａ４１のスライドショー的表示を一時停止することができる。【００２０】  その後、利用者によって入力部１０から表示部１５の再開アイコン１５２がクリックされると、タブブラウザ１１は再度タブａ１２１のウェブページからスライドショー的表示を再開する。【００２１】  以上が動作説明である。このように本実施例ではタブブラウザと連携したサーバーを設けることなく、タブブラウザ単独でウェブサイト群のウェブページをスライドショー的に閲覧することできる。【００２２】  前述の説明ではタブ群に異なるドメインのウェブページのＵＲＬを予め記憶してあるように説明してきたが、同一ドメインのウェブページのＵＲＬを予め記憶してもかまわない。異なるドメインのウェブページのＵＲＬを記憶させた場合には、例えば異なる会社のウェブページ群をスライドショー的に表示することができることになり、同一ドメインのＵＲＬを記憶した場合には、例えば特定の会社の複数製品のウェブページ群をスライドショー的に表示することができることになる。【００２３】  また前述の実施例の動作説明では、タブ群１２には予め各ＵＲＬを、タブ切替え順序記憶部１３にはタブ群の表示切替え順序を、さらにタブ切替え時間記憶部１４には表示切替え時間を各々予め記憶したとして説明してきたが、パソコン１の入力部１０を操作することによって、タブ群１２に記憶するＵＲＬを、タブ切替え順序記憶部１３のタブ群の表示切替え順序を、さらにタブ切替え時間記憶部１４の表示切替え時間を変更することができる。例えば、タブ群１２に記憶するＵＲＬを変更すれば閲覧できるウェブページを変えることが可能となり、タブ切替え時間記憶部１４を変更すればスライドショー的表示間隔時間を変えることが可能となり、タブ切替え順序記憶部１３のタブ群の表示切替え順序を（タブａ、タブｂ、タブｃ、・・・）を（タブｃ、タブｂ、タブａ、・・・）のように変更すればウェブページのスライドショー的表示順序を変えることが可能となる。【００２４】  また、今までの実施例の説明では、タブブラウザ１１のタブ群１２に予めウェブサイト群３のＵＲＬを記憶させ、該ＵＲＬにしたがってタブブラウザ１１単独でウェブサイト群３に直接アクセスするように説明してきたが、この方法では表示するウェブページの変更は不可能である。そこで図３に示すようにインターネット２上にタブブラウザ１１と連携するサーバー５を設け、タブブラウザ１１のタブ群１２のタブａ１２１、タブｂ１２２、タブｃ１２３には、ウェブサイト群３のＵＲＬではなく、該サーバー５にある各々ｗｗｗ．ｚｚｚ．ｃｏｍ／ｘ１．ｈｔｍｌ、ｗｗｗ．ｚｚｚ．ｃｏｍ／ｘ２．ｈｔｍｌ、ｗｗｗ．ｚｚｚ．ｃｏｍ／ｘ３．ｈｔｍｌの各ＵＲＬを予め記憶させ、該サーバー５にはスライドショーとして表示するウェブページにジャンプすることをＨＴＭＬで記述したジャンプ先情報を複数記憶するジャンプ先情報群５１を設け、該ジャンプ先情報群５１の５１１、５１２、５１３の情報ジャンプ先情報ａ、ｂ、ｃにはジャンプ先のＵＲＬである各々ｗｗｗ．ｘｘｘ．ｃｏｍ、ｗｗｗ．ｙｙｙ．ｃｏｍ、ｗｗｗ．ｂｂｂ．ｃｏｍを含むＨＴＭＬで記述されたウェブページ情報を，またタブ切替え順序記憶部１３にはタブ群の表示切替え順序を（タブａ、タブｂ、タブｃ、・・・）を記憶させる。このような条件で、タブブラウザ１１は先ずサーバー５の各ウェブページｗｗｗ．ｚｚｚ．ｃｏｍ／ｘ１．ｈｔｍｌ、ｗｗｗ．ｚｚｚ．ｃｏｍ／ｘ２．ｈｔｍｌ、ｗｗｗ．ｚｚｚ．ｃｏｍ／ｘ３．ｈｔｍｌにアクセスし、さらにサーバー５のジャンプ先情報群５１に記憶されたウェブページ情報に従ってジャンプ先情報のｗｗｗ．ｘｘｘ．ｃｏｍ、ｗｗｗ．ｙｙｙ．ｃｏｍ、ｗｗｗ．ｂｂｂ．ｃｏｍの各ウェブページをスライドショー的に表示する。このようにすることによって、タブブラウザ１１のタブ群１２の記憶内容を変えることなく、サーバー５で記憶した任意のウェブページにアクセスすることが可能となり、閲覧できるウェブページを変えられることになる。
【図面の簡単な説明】
【００２５】
【図１】本発明のタブブラウザを説明するためのシステム構成例の図
【図２】同タブブラウザで表示する複数のウェブページ例の図
【図３】同タブブラウザとサーバーを連携した場合のシステム構成例の図
【符号の説明】
【００２６】    １  パソコン
１０  入力部
１１  タブブラウザ
１２  タブ群
１２１  タブａ
１２２  タブｂ
１２３  タブｃ
１３  タブ切替え順序記憶部
１４  タブ切替え時間記憶部
１５  表示部
１５１  一時停止アイコン
１５２  再開アイコン
１５３  ウェブページ表示部
２  インターネット
３  ウェブサイト群
３１  ウェブサイトａ
３２  ウェブサイトｂ
３３  ウェブサイトｃ
４  ウェブページ群
４１  ウェブページａ
４２  ウェブページｂ
４３  ウェブページｃ
５  サーバー
５１  ジャンプ先情報群
５１１  ジャンプ先情報ａ
５１２  ジャンプ先情報ｂ
５１３  ジャンプ先情報ｃ
【図１】
2011165156.tif 000003
【図２】
2011165156.tif 000004
【図３】
2011165156.tif 000005